(57)【特許請求の範囲】
【請求項１】
基板に光源が配設された光源ユニットと、
前記光源ユニットの前方側に配置され、前記光源からの照明光により照明される被照明部材と、
前記光源ユニットと前記被照明部材との間に配置され、前記光源からの照明光を集光させる第１レンズ部と前記第１レンズ部の周囲に延在する第１フランジ部とを有する第１レンズ部材と、
前記第１フランジ部を支持する第１支持部を有する第１のケース体と、
前記第１レンズ部に対応するように設けられる開口部を有する基部と前記第１レンズ部を取り囲むように前記基部に形成された第１壁部とを有する第２のケース体とを備えてなる照明装置において、
前記第１フランジ部には前記第１壁部と前記第１支持部のうち少なくとも一方に設けられた第１押圧部と当接する第１当接部が設けられ、
前記第１フランジ部を前記第１支持部と前記第１壁部とで挟み込むように前記第１のケース体と前記第２のケース体とを固定したとき、前記第１押圧部からの押圧力を前記第１当接部に作用させる構成とし、
前記第１のケース体は、前記光源ユニットと前記第１レンズ部材との間に位置するように前記第１支持部に一体形成された水平壁部を有し、
前記水平壁部に設けられた貫通孔部を塞ぐように拡散部材が載置されていることを特徴とする照明装置。
【請求項２】
前記第１当接部は、前記第１フランジ部に形成された面取り部であることを特徴とする請求項１記載の照明装置。
【請求項３】
前記第１レンズ部材と前記被照明部材との間に配置される第２レンズ部材は、前記第１レンズ部からの照明光を集光させる第２レンズ部と、前記第２レンズ部の周囲に延在する第２フランジ部とを備え、
前記第１のケース体は前記第２フランジ部を支持する第２支持部を有しているいるとともに前記第２のケース体は前記第２レンズ部を取り囲むように前記基部に形成された第２壁部を有し、
前記第２フランジ部には前記第２壁部に設けられた第２押圧部と当接する第２当接部が設けられ、
前記第２フランジ部を前記第２支持部と前記第２壁部とで挟み込むように前記第１のケース体と前記第２のケース体とを固定したとき、前記第２押圧部からの押圧力を前記第２当接部に作用させる構成としたことを特徴とする請求項１記載の照明装置。
【請求項４】
前記第２当接部は、前記第２フランジ部に形成された面取り部であることを特徴とする請求項３記載の照明装置。
【発明の詳細な説明】
【技術分野】
【０００１】
本発明は、例えばヘッドアップディスプレイに搭載される液晶表示パネル（被照明部材）を照明するための照明装置に関するものである。
【背景技術】
【０００２】
従来より、この種の照明装置にあっては、例えば下記特許文献１に記載されているものが知られている。この特許文献１に記載の照明装置は、ヘッドアップディスプレイに搭載され、回路基板としての基板上に光源（ＬＥＤ）が実装（配設）された光源ユニットと、この光源ユニットの前方側に配置され、光源からの照明光により照明される液晶表示パネル（被照明部材）と、基板と液晶表示パネルとの間に配置されるレンズ部材とを備えている。
【先行技術文献】
【特許文献】
【０００３】
【特許文献１】特開２００６−１９０２７号公報
【０００４】
ところで、図９は、ヘッドアップディスプレイに搭載される液晶表示パネルを照明するための照明装置の従来技術を示している。この図９において、照明装置１００は、基板１１０上に光源１２０が実装された光源ユニット１３０と、この光源ユニット１３０の前方側に配置され、光源１２０からの照明光により照明される液晶表示パネル１４０と、基板１１０と液晶表示パネル１４０との間に配置されるレンズ部材１５０とを有している。
【０００５】
この場合、レンズ部材１５０は、光源１２０からの照明光を集光させる凸レンズからなるレンズ部１５１と、このレンズ部１５１の周囲に延在する薄板状の一対のフランジ部１５２とを備え、フランジ部１５２を挟み込むように下側ケース体（第１のケース体）１６０と上側ケース体（第２のケース体）１７０とを用いて固定されている。
【０００６】
下側ケース体１６０は、合成樹脂からなり、レンズ部材１５０の背後に配置され、一対のフランジ部１５２を背後から支持する略枠形状の支持部１６１と、この支持部１６１を取り囲むように支持部１６１の外側に位置する外壁部１６２と、支持部１６１の下端側と外壁部１６２の下端側とを連結する連結部１６３とを有し、略枠形状からなる支持部１６１の内部に形成された空洞部１６４を塞ぐように光源ユニット１３０が配設されている。
【０００７】
また、この場合、支持部１６１の上端部は平坦面となっており、外壁部１６２の上端側には上側ケース体１７０に設けられる後述する爪部を係合するための孔部１６５が形成されている。なお、下側ケース体１６０は、ヘッドアップディスプレイの外装ケースである遮光性合成樹脂材料からなるハウジングに適宜固定手段を用いて固定されている。
【０００８】
一方、下側ケース体１６０と対をなす上側ケース体１７０は、合成樹脂からなり、レンズ部１５１に対応するように設けられる開口部１７１を有する基部１７２と、レンズ部材１５０の側方を取り囲むように基部１７２の下方に垂下形成され、下側ケース体１６０の支持部１６１と対をなす略枠形状の周壁部（壁部）１７３と、下側ケース体１６０の外壁部１６２と対をなすように基部１７２両端部から背後に垂下形成された一対の弾性腕片１７４とを有し、この場合、周壁部１７３の下端部は平坦面となっており、また各弾性腕片１７４の下端部には孔部１６５に係合する爪部１７５がそれぞれ設けられている。
【０００９】
そして、レンズ部材１５０を下側ケース体１６０と上側ケース体１７０とを用いて固定する場合には、例えば、まず支持部１６１の上端部と周壁部１７３の下端部との間にフランジ部１５２を位置させ、且つ、開口部１７１にレンズ部１５１が臨むようにようにレンズ部材１５０と下側ケース体１６０と上側ケース体１７０の三者を位置合わせし、次に下側ケース体１６０を上方（フランジ部１５２側）に平行移動させるとともに上側ケース体１７０を下方（フランジ部１５２側）に平行移動させる。
【００１０】
すると、弾性腕片１７４に設けられた爪部１７５が外壁部１６２の孔部１６５に係合し、支持部１６１の上端部とフランジ部１５２の背面とが面接触するとともに周壁部１７３の下端部とフランジ部１５２の前面とが面接触することで、レンズ部材１５０が下側ケース体１６０と上側ケース体１７０とを用いて組み付け固定される。
【発明の概要】
【発明が解決しようとする課題】
【００１１】
しかしながら、上述の図９に示した照明装置のように、弾性腕片１７４に設けられた爪部１７５を外壁部１６２の孔部１６５に係合させてレンズ部材１５０における薄板状のフランジ部１５２を下側ケース体１６０の支持部１６１と上側ケース体１７０の周壁部１７３とで挟み込む構成では、周壁部１７３とフランジ部１５２との面接触（または支持部１６１とフランジ部１５２との面接触）に伴いフランジ部１５２にはフランジ部１５２の板厚方向に沿い応力が作用し、例えばレンズ部材１５０をシクロオレフィンポリマー（ＣＯＰ）によって形成した場合には前記応力によってフランジ部１５２が変形することに起因してレンズ部１５１が歪み、被照明部材である液晶表示パネルの照明品質低下を招く虞がある。
そこで本発明は、前述の課題に対して対処するため、レンズ部の歪みを抑制し、被照明部材の照明品質が低下する虞のない照明装置の提供を目的とするものである。
【課題を解決するための手段】
【００１２】
本発明は、基板に光源が配設された光源ユニットと、前記光源ユニットの前方側に配置され、前記光源からの照明光により照明される被照明部材と、前記光源ユニットと前記被照明部材との間に配置され、前記光源からの照明光を集光させる第１レンズ部と前記第１レンズ部の周囲に延在する第１フランジ部とを有する第１レンズ部材と、前記第１フランジ部を支持する第１支持部を有する第１のケース体と、前記第１レンズ部に対応するように設けられる開口部を有する基部と前記第１レンズ部を取り囲むように前記基部に形成された第１壁部とを有する第２のケース体とを備えてなる照明装置において、前記第１フランジ部には前記第１壁部と前記第１支持部のうち少なくとも一方に設けられた第１押圧部と当接する第１当接部が設けられ、前記第１フランジ部を前記第１支持部と前記第１壁部とで挟み込むように前記第１のケース体と前記第２のケース体とを固定したとき、前記第１押圧部からの押圧力を前記第１当接部に作用させる構成とし、前記第１のケース体は、前記光源ユニットと前記第１レンズ部材との間に位置するように前記第１支持部に一体形成された水平壁部を有し、前記水平壁部に設けられた貫通孔部を塞ぐように拡散部材が載置されていることを特徴とする。
【００１３】
また本発明は、前記第１当接部は、前記第１フランジ部に形成された面取り部であることを特徴とする。
【００１４】
また本発明は、前記第１レンズ部材と前記被照明部材との間に配置される第２レンズ部材は、前記第１レンズ部からの照明光を集光させる第２レンズ部と、前記第２レンズ部の周囲に延在する第２フランジ部とを備え、前記第１のケース体は前記第２フランジ部を支持する第２支持部を有しているいるとともに前記第２のケース体は前記第２レンズ部を取り囲むように前記基部に形成された第２壁部を有し、前記第２フランジ部には前記第２壁部に設けられた第２押圧部と当接する第２当接部が設けられ、前記第２フランジ部を前記第２支持部と前記第２壁部とで挟み込むように前記第１のケース体と前記第２のケース体とを固定したとき、前記第２押圧部からの押圧力を前記第２当接部に作用させる構成としたことを特徴とする。
【００１５】
また本発明は、前記第２当接部は、前記第２フランジ部に形成された面取り部であることを特徴とする。
【発明の効果】
【００１６】
本発明によれば、初期の目的を達成でき、レンズ部の歪みを抑制し、被照明部材の照明品質が低下する虞のない照明装置を提供できる。
【図面の簡単な説明】
【００１７】
【図１】本発明の第１実施形態によるヘッドアップディスプレイ装置の概略図。
【図２】同実施形態による表示装置の断面図。
【図３】同実施形態による照明装置の断面図。
【図４】図３中、Ａ部を拡大して示す拡大断面図。
【図５】本発明の第２実施形態による照明装置の断面図。
【図６】本発明の第３実施形態による照明装置の断面図。
【図７】図６中、Ｂ部を拡大して示す拡大断面図。
【図８】図６中、Ｃ部を拡大して示す拡大断面図。
【図９】従来技術による照明装置の断面図。
【発明を実施するための形態】
【００１８】
（第１実施形態）以下、図１〜図４に基づいて、本発明を車両用のヘッドアップディスプレイ装置に適用した一実施形態を説明する。
【００１９】
ヘッドアップディスプレイ装置は、図１に示すように車両１０のインパネ１１内部に配設された表示ユニットである表示装置１２が投射する表示光Ｌを投影部材である車両１０のフロントガラス１３で車両１０の運転者（利用者）１４の方向に反射させ、虚像Ｖの表示を行うものである。換言すれば、車両用ヘッドアップディスプレイ装置は、表示装置１２の後述する表示器から発せられる表示光Ｌをフロントガラス１３（前記投影部材）に照射（投射）し、この照射によって得られた虚像（表示像）Ｖを運転者１４に視認させるものである。これにより運転者１４は、運転席の正面前方に表示される虚像Ｖを風景と重畳させて観察することができる。
【００２０】
表示装置１２は、図２に示すように照明装置である表示器２０と、反射器３０と、ハウジング４０とから主に構成されている。
【００２１】
表示器２０は、図３に詳しく示すように、基板である回路基板２１上に複数個（例えば２個）の光源２２が実装（配設）された光源ユニット２３と、各光源２２からの照明光により透過照明される被照明部材である液晶表示パネル２４と、光源ユニット２３と液晶表示パネル２４との間に配置される拡散部材２５と、この拡散部材２５（光源ユニット２３）と液晶表示パネル２４との間に配置されるレンズ部材２６と、拡散部材２５及びレンズ部材２６を保持する第１のケース体２７と、この第１のケース体２７の前方側に配置される第２のケース体２８とを備えている。
【００２２】
回路基板２１は、例えば所定の配線パターンが施された硬質の配線基板からなり、前記配線パターン上に各光源２２が搭載されている。
【００２３】
光源２２は、例えば適宜色を発するチップ型発光ダイオード（ＬＥＤ）からなり、拡散部材２５（液晶表示パネル２４）に照明光を供給する発光体である。
【００２４】
液晶表示パネル２４は、例えば一対の透光性基板に液晶を封入した液晶セルの前後面に偏光膜を各々設けたＴＦＴ（薄膜トランジスタ）型の液晶表示素子からなり、各光源２２からの照明光（換言すればレンズ部材２６から出射される平行出射光）を透過して表示光Ｌを形成する（発する）ように光源ユニット２３（レンズ部材２６）の前方側に配置されている。
【００２５】
かかる液晶表示パネル２４は、車両１０に設けられる車速センサやエンジン回転センサからの出力信号に基づいて車速，エンジン回転数を計測する演算回路（図示せず）並びにこの演算結果に基づいて前記液晶を駆動する駆動回路（図示せず）によって、車両１０の速度またはエンジン回転数の計測値を数値として表示することができる。
【００２６】
なお、液晶表示パネル２４によって表示される表示情報は、車速やエンジン回転数に限らず任意であり、例えば走行距離情報、ナビゲーション情報、外気温情報であってもよい。
【００２７】
拡散部材２５は、例えば乳白色を有する光透過性の合成樹脂からなり、略平板状に形成され、第１のケース体２７の後述する仕切部に設けられる貫通孔部を塞ぐように前記仕切部上に載置されている。かかる拡散部材２５は、各光源２２から発せられ、レンズ部材２６側へと向かう照明光を略均一に拡散させるための光拡散板としての機能を有している。
【００２８】
レンズ部材２６は、ＣＯＰ等の透光性合成樹脂からなり、背面側（拡散部材２５側）が平坦面であるとともに前面側（液晶表示パネル２４側）が凸面である凸レンズからなるレンズ部２６ａと、このレンズ部２６ａの周囲に延在する薄板状の一対のフランジ部２６ｂとを備え、レンズ部２６ａは、光源２２からの照明光（拡散部材２５から出射される拡散出射光）を集光させる集光部としての機能を有している。なお、レンズ部材２６、レンズ部２６ａ、フランジ部２６ｂは、特許請求の範囲の請求項１における第１レンズ部材、第１レンズ部は、第１フランジ部にそれぞれ相当する。
【００２９】
つまり、レンズ部２６ａは、前記拡散出射光に対し所望の屈折を与え、略平行光束化された前記平行出射光を液晶表示パネル２４側に向けて出射するようになっている。また、各フランジ部２６ｂの上端側角部にはＣ面取り加工が施された面取り部２６ｃが設けられている。なお、この面取り部２６ｃは、特許請求の範囲の請求項１における第１当接部に相当する。
【００３０】
第１のケース体２７は、合成樹脂からなり、レンズ部材２６の背後に配置され、一対のフランジ部２６ｂを背後から支持する略枠形状の支持部２７ａと、この略枠形状からなる支持部２７ａの内部空間を上側空間部Ｓ１と下側空間部Ｓ２とに区画するための壁状の仕切部２７ｂと、支持部２７ａを取り囲むように支持部２７ａの外側に位置する外壁部２７ｃと、支持部２７ａの下端側と外壁部２７ｃの下端側とを連結する連結部２７ｄとを備えている。なお、支持部２７ａは、特許請求の範囲の請求項１における第１支持部に相当する。
【００３１】
そして、仕切部２７ｂの略中央部には上側空間部Ｓ１と下側空間部Ｓ２とを連通させるための貫通孔部２７ｅが設けられ、この貫通孔部２７ｅを塞ぐように仕切部２７ｂ上に拡散部材２５が載置されている。また、拡散部材２５に光源２２からの照明光を供給すべく、下側空間部Ｓ２を塞ぐように光源ユニット２３が配設されている。
【００３２】
なお、本実施形態の場合、支持部２７ａの上端部は平坦面Ｐとなっており、外壁部２７ｃの上端側には第２のケース体２８に設けられる後述する爪部を係合するための孔部２７ｆが形成されている。また、第１のケース体２７は、ハウジング４０に適宜固定手段を用いて固定されている。
【００３３】
第２のケース体２８は、合成樹脂からなり、レンズ部２６ａに対応するように設けられる開口部２８ａを有する基部２８ｂと、レンズ部材２６の側方を取り囲むように基部２８ｂの下方に垂下形成され、第１のケース体２７の支持部２７ａと対をなす略枠形状の周壁部（壁部）２８ｃと、第１のケース体２７の外壁部２７ｃと対をなすように基部２８ｂ両端部から背後に垂下形成された一対の弾性腕片２８ｄとを備えている。なお、周壁部である壁部２８ｃは、特許請求の範囲の請求項１における第１壁部に相当する。
【００３４】
そして、本実施形態の場合、周壁部２８ｃの下端部には、レンズ部材２６のフランジ部２６ｂに設けられた面取り部２６ｃと向かい合うように押圧部２８ｅが設けられ、各弾性腕片２８ｄの下端部には孔部２７ｆに係合する爪部２８ｆがそれぞれ設けられている。
【００３５】
押圧部２８ｅは、周壁部２８ｃ内壁面と周壁部２８ｃ底面との境界部分に設けられた所定の曲率を有する曲面部からなり、後述するようにフランジ部２６ｂを支持部２７ａと周壁部２８ｃとで挟み込むように第１のケース体２７と第２のケース体２８とを組み付け固定した際に、Ｃ面取り加工が施された当接部である面取り部２６ｃと当接し、面取り部２６ｃに押圧力を作用させる機能を有している。なお、押圧部２８ｅは、特許請求の範囲の請求項１における第１押圧部に相当する。
【００３６】
そして、レンズ部材２６を第１のケース体２７と第２のケース体２８とを用いて固定する（つまりフランジ部２６ｂを支持部２７ａと周壁部２８ｃとで挟み込むように第１のケース体２７と第２のケース体２８とを固定する）場合には、例えば詳細図示は省略するが、まず支持部２７ａの上端部と周壁部２８ｃの下端部との間にフランジ部２６ｂを位置させ、且つ、開口部２８ａにレンズ部２６ａが臨むようにようにレンズ部材２６と第１のケース体２７と第２のケース体２８の三者を位置合わせし、次に第１のケース体２７を上方（フランジ部２６ｂ側）に平行移動させるとともに第２のケース体２８を下方（フランジ部２６ｂ側）に平行移動させる。
【００３７】
すると、弾性腕片２８ｄに設けられた爪部２８ｆが外壁部２７ｃの孔部２７ｆに係合し、支持部２７ａの上端部（つまり平坦面Ｐ）とフランジ部２６ｂの背面とが面接触するとともに、周壁部２８ｃの下端部に設けられた押圧部２８ｅとフランジ部２６ｂに設けられた面取り部２６ｃとが当接した状態で、レンズ部材２６が第１のケース体２７と第２のケース体２８とを用いて組み付け固定される（換言すればフランジ部２６ｂを支持部２７ａと周壁部２８ｃとで挟み込むように第１のケース体２７と第２のケース体２８とが組み付け固定される）。
【００３８】
ここで、周壁部２８ｃとフランジ部２６ｂとに着目すると、周壁部２８ｃに設けられた曲面部からなる押圧部２８ｅが、押圧部２８ｅと向かい合うようにフランジ部２６ｂに設けられた傾斜面からなる面取り部２６ｃと当接することに伴い、図３中、Ａ部を拡大して示す図４に示すごとく面取り部２６ｃには面取り部２６ｃに対し垂直方向（つまり図４中、右斜め下方向）に押圧部２８ｅからの押圧力Ｆが作用する。
【００３９】
このとき、傾斜面からなる面取り部２６ｃに作用する押圧力Ｆは、フランジ部２６ｂの板面方向に沿って作用する水平分力Ｆ１と、フランジ部２６ｂの板厚方向に作用する垂直分力Ｆ２とに分散される。このため、本実施形態によれば、フランジ部２６ｂを支持部２７ａと周壁部２８ｃとで挟み込むように第１のケース体２７と第２のケース体２８とを固定したとき、フランジ部２６ｂの変形に寄与することになるフランジ部２６ｂの板厚方向に働く力は、水平分力Ｆ１が分散される分だけ従来の場合よりも小さくなる。
【００４０】
すなわち、水平分力Ｆ１と垂直分力Ｆ２のうち、水平分力Ｆ１はフランジ部２６ｂの板厚方向に何ら作用しないので、フランジ部２６ｂの変形に影響を与えることになるフランジ部２６ｂの板厚方向に働く力は、水平分力Ｆ１の分だけ従来と比べて小さくなり、これによりレンズ部材２６をＣＯＰによって形成した場合であっても、フランジ部２６ｂの変形（つまりレンズ部２６ａの歪み）を抑制することが可能となり、液晶表示パネル２４の照明品質が低下する招く虞はなくなる。
【００４１】
反射器３０は、液晶表示パネル２４から発せられた表示光Ｌを反射させる凹面鏡（反射部材）３１と、この凹面鏡３１を保持する合成樹脂からなるミラーホルダ（保持部材）３２とを備えてなる。
【００４２】
凹面鏡３１は、凹面を有するポリカーボネートからなる樹脂基板に反射層３１ａを蒸着形成してなるものである。かかる凹面鏡３１は、その反射層３１ａが液晶表示パネル２４並びにハウジング４０の後述する透光性カバーに対向し、前記透光性カバーから臨める位置に傾斜状態にて配設される。
【００４３】
また凹面鏡３１は、表示器２０からの表示光Ｌを拡大しつつ、前記透光性カバー（車両１０のフロントガラス１３）側へ反射させるものである。このことは、凹面鏡３１が、表示器２０から発せられる表示光Ｌを拡大し、この拡大された表示光Ｌを前記透光性カバーを通じてフロントガラス１３に投射することを意味している。なお、凹面鏡３１は、ミラーホルダ３２に両面粘着テープにより接着されている。
【００４４】
ハウジング４０は、例えば黒色の遮光性合成樹脂材料からなり、略箱型形状に形成され、その内部空間である空間部４１に表示器２０及び反射器３０を保持して収容するものであり、反射器３０における凹面鏡３１の配設位置の上部（フロントガラス１３側）が開口する開口窓部４２を備えてなる。
【００４５】
またハウジング４０には、開口窓部４２を塞ぐように出射部である透光性カバー４３が配設されてなる。かかる透光性カバー４３は、透光性の合成樹脂材料（例えばアクリル樹脂）からなり、凹面鏡３１で反射された表示光Ｌが透過（通過）する光透過性部材としての機能を有している。つまり、凹面鏡３１によって反射された表示光Ｌは、ハウジング４０に形成された透光性カバー４３を通じてフロントガラス１３に照射され、この照射によって得られた虚像Ｖを運転者１４が視認することになる。
【００４６】
以上のように本実施形態では、回路基板２１に光源２２が実装（配設）された光源ユニット２３と、この光源ユニット２３の前方側に配置され、光源２２からの照明光により照明される液晶表示パネル２４と、光源ユニット２３と液晶表示パネル２４との間に配置され、光源２２からの照明光を集光させるレンズ部２６ａとレンズ部２６ａの周囲に延在するフランジ部２６ｂとを有するレンズ部材２６と、フランジ部２６ｂを支持する支持部２７ａを有する第１のケース体２７と、レンズ部２６ａに対応するように設けられる開口部２８ａを有する基部２８ｂとレンズ部２６ａを取り囲むように基部２８ｂに形成された周壁部２８ｃとを有する第２のケース体２８とを備えてなる照明装置において、
フランジ部２６ｂには周壁部２８ｃに設けられた押圧部２８ｅと当接する面取り部２６ｃが設けられ、フランジ部２６ｂを支持部２７ａと周壁部２８ｃとで挟み込むように第１のケース体２７と第２のケース体２８とを固定したとき、押圧部２８ｅからの押圧力Ｆを面取り部２６ｃに作用させる構成としたものである。
【００４７】
従って、面取り部２６ｃに作用する押圧力Ｆは、前述したようにフランジ部２６ｂの板面方向に沿って作用する水平分力Ｆ１と、フランジ部２６ｂの板厚方向に作用する垂直分力Ｆ２とに分散され、これら水平分力Ｆ１と垂直分力Ｆ２のうち、水平分力Ｆ１はフランジ部２６ｂの板厚方向に何ら作用しないので、フランジ部２６ｂの変形に影響を与えることになるフランジ部２６ｂの板厚方向に働く力は、水平分力Ｆ１の分だけ従来と比べて小さくなり、これによりレンズ部材２６をＣＯＰによって形成した場合であっても、フランジ部２６ｂの変形（つまりレンズ部２６ａの歪み）を抑制することが可能となり、液晶表示パネル２４の照明品質が低下する招く虞はなくなる。
【００４８】
また本実施形態では、フランジ部２６ｂを支持部２７ａと周壁部２８ｃとで挟み込むように第１のケース体２７と第２のケース体２８とを固定したとき、所定の曲率を有する曲面形状からなる押圧部２８ｅがＣ面取り加工の施された傾斜面からなる面取り部２６ｃと当接することに伴い、押圧部２８ｅからの押圧力Ｆが面取り部２６ｃに作用する例について説明したが、押圧部２８ｅ及び面取り部２６ｃの形状は、面取り部２６ｃと垂直方向に押圧力Ｆが働く構成であればあらゆる形状を採用することができ、例えば押圧部２８ｅを傾斜面とするとともに面取り部２６ｃをＲ面取り加工の施されたＲ面（曲面）としてもよいし、もしくは押圧部２８ｅ及び面取り部２６ｃの両者を傾斜面形状または曲面形状としてもよい。
【００４９】
（第２実施形態）次に、本発明の第２実施形態を図５に基づいて説明するが、前述の第１実施形態と同一もしくは相当個所には同一の符号を用いてその詳細な説明は省略する。この第２実施形態においては、押圧部２８ｅを第２のケース体２８の周壁部２８ｃではなく第１のケース体２７の支持部２７ａ側に設けるとともに、面取り部２６ｃをフランジ部２６ｂの上端側角部ではなく下端側角部に設けた構成となっている。
【００５０】
つまり、この場合、支持部２７の上端部（平坦面Ｐ）と支持部２７ａの内壁面との境界部分に曲面形状からなる押圧部２７ｇを設けるとともにフランジ部２６ｂの下端側角部にＣ面加工の施された面取り部２６ｄを設け、フランジ部２６ｂを支持部２７ａと周壁部２８ｃとで挟み込むように第１のケース体２７と第２のケース体２８とを固定したとき、押圧部２７ｇと当接部である面取り部２６ｄとが当接し、押圧部２７ｇからの押圧力Ｇが面取り部２６ｄに作用する構成となっている。
【００５１】
かかる第２実施形態においても、面取り部２６ｄに作用する押圧力Ｇは、詳細図示省略するが、フランジ部２６ｂの板面方向に沿って作用する水平分力と、フランジ部２６ｂの板厚方向に作用する垂直分力とに分散され、これら水平分力と垂直分力のうち、水平分力はフランジ部２６ｂの板厚方向に何ら作用しないので、フランジ部２６ｂの変形に影響を与えることになるフランジ部２６ｂの板厚方向に働く力は、水平分力の分だけ従来と比べて小さくなるため、フランジ部２６ｂの変形（つまりレンズ部２６ａの歪み）を抑制することが可能となり、前記第１実施形態と同様の作用効果を得ることができる。
【００５２】
また、前記第１実施形態と前記第２実施形態とを組み合わせた構成、つまりフランジ部２６ｂに面取り部２６ｃ、２６ｄをそれぞれ設け、フランジ部２６ｂを支持部２７ａと周壁部２８ｃとで挟み込むように第１のケース体２７と第２のケース体２８とを固定したとき、周壁部２８ｃに設けられた押圧部２８ｅからの押圧力を面取り部２６ｃに作用させると同時に支持部２７ａに設けられた押圧部２７ｇからの押圧力を面取り部２６ｄに作用させる構成であっても、フランジ部２６ｂの変形を抑制することができることは言うまでもない。
【００５３】
（第３実施形態）次に、本発明の第３実施形態を図６〜図８に基づいて説明するが、前述の第１実施形態と同一もしくは相当個所には同一の符号を用いてその詳細な説明は省略する。この第３実施形態が、前記第１実施形態と異なる点は、液晶表示パネル２４と第１レンズ部材であるレンズ部材２６との間に、第１レンズ部材２６と重なるように第２レンズ部材５１が配置されている点である。
【００５４】
なお、本第３実施形態の場合、第１、第２レンズ部材２６、５１及び拡散部材２５が前記第１実施形態にて採用した第１のケース体２７に相当する第１のケース体５２によって保持され、さらに第１のケース体５２の前方側には、前記第１実施形態にて採用した第２のケース体２８に相当する第２のケース体５３が配置されている。
【００５５】
第２レンズ部材５１は、ＣＯＰ等の透光性合成樹脂からなり、その外形形状が第１レンズ部材２６の外形形状よりも若干、小さ目に設定され、背面側（第１レンズ部材２６側）が平坦面であるとともに前面側（液晶表示パネル２４側）が凸面である凸レンズからなる第２レンズ部５１ａと、この第２レンズ部５１ａの周囲に延在する薄板状の一対の第２フランジ部５１ｂとを備えている。
【００５６】
この場合、第２レンズ部５１ａは、第１レンズ部であるレンズ部２６ａからの照明光を集光させる集光部としての機能を有しているので、結果的に光源２２から発せられる照明光（つまり拡散部材２５から出射される前記拡散出射光）は、各レンズ部２６ａ、５１ａを通じて略平行光束化された照明光となり、かかる略平行光束化された照明光が液晶表示パネル２４側に向けて出射するようになっている。
【００５７】
一方、各第２フランジ部５１ｂの上端側角部には、第２のケース体５３の後述する第２壁部に設けられる第２押圧部と当接する面取り部（第２当接部）５１ｃが形成され、この第２フランジ部５１ｂに形成された面取り部５１ｃはＣ面取り加工が施された傾斜面形状となっている。なお、図６中、Ｈは、第１のケース体５２の後述する第２支持部を貫通させるために設けられた貫通孔からなる貫通部であり、この貫通部Ｈは、前記第２支持部の配設位置に対応する第１フランジ部２６ｂ箇所の表裏を貫通するようにそれぞれ設けられている。
【００５８】
第１のケース体５２は、合成樹脂からなり、第２レンズ部材５１の背後に配置され、前記第１実施形態にて採用した第１フランジ部であるフランジ部２６ｂの周縁を背後から支持する略枠形状の第１支持部５２ａと、第１レンズ部材２６の上方側に位置している第２フランジ部５１ｂを背後から支持するように第１支持部５２ａの内側に位置するボス形状からなる一対の第２支持部５２ｂと、第１支持部５２ａの外側に位置する外壁部５２ｃと、第１支持部５２ａ下端側と第２支持部５２ｂ下端側と外壁部５２ｃとを連結する水平壁部５２ｄとを有している。このうち、第１支持部５２ａ、外壁部５２ｃは、前記第１実施形態にて採用した第１支持部２７ａ、外壁部２７ｃに相当するものである。
【００５９】
この場合、各第２支持部５２ｂは、前述した各貫通部Ｈをそれぞれ通過して、その先端側が第２フランジ部５１ｂを支えるように構成され、外壁部５２ｃの上端側には前記第１実施形態にて採用した孔部２７ｆに相当する孔部５２ｅが形成されている。また、水平壁部５２ｄの略中央部には、貫通孔部５２ｆが設けられており、この貫通孔部５２ｆを塞ぐように拡散部材２５が水平壁部５２ｄ上に載置されている。
【００６０】
第２のケース体５３は、合成樹脂からなり、各レンズ部２６ａ、５１ａに対応するように設けられる開口部５３ａを有する基部５３ｂと、第１のケース体５２の第１支持部５２ａと対をなすように基部５３ｂの背後に垂下形成される略枠形状の第１壁部５３ｃと、この第１壁部５３ｃの内側であって第２レンズ部材５１の側方を取り囲むように基部５３ｂから下方に垂下形成された略枠形状の第２壁部５３ｄと、第１のケース体５２の外壁部５２ｃと対をなすように基部５３ｂ両端部から背後に垂下形成される一対の弾性腕片５３ｅとを有し、第２壁部５３ｄは、第２フランジ部５１ｂの周縁に向かうように突出形成されている。
【００６１】
なお、この場合、開口部５３ａ、基部５３ｂ、第１壁部５３ｃ並びに弾性腕片５３ｅは、前記第１実施形態にて採用した開口部２８ａ、基部２８ｂ、第１壁部２８ｃ並びに弾性腕片２８ｄにそれぞれ相当するものである。
【００６２】
また、本第３実施形態の場合、第１壁部５３ｃの下端部には第１レンズ部材２６の第１フランジ部２６ｂに設けられた面取り部（第１当接部）２６ｃと向かい合うように第１押圧部５３ｆが設けられているとともに（図７参照）、第２壁部５３ｄの下端部には第２レンズ部材５１の第２フランジ部５１ｂに設けられた面取り部（第２当接部）５１ｃと向かい合うように第２押圧部５３ｇが設けられ（図８参照）、また各弾性腕片５３ｅの下端部には孔部５２ｅに係合する爪部５３ｈがそれぞれ設けられている。
【００６３】
第１押圧部５３ｆは、図７に示すように第１壁部５３ｃ内壁面と第１壁部５３ｃ底面との境界部分に設けられた所定の曲率を有する曲面部からなるとともに、第２押圧部５３ｇは、図８に示すように第２壁部５３ｄ内壁面と第２壁部５３ｄ底面との境界部分に設けられた所定の曲率を有する曲面部からなる。
【００６４】
そして、前記第１実施形態の場合と同様にして、第１フランジ部２６ｂを第１支持部５２ａと第１壁部５３ｃとで挟み込み、且つ第２フランジ部５１ｂを第２支持部５２ｂと第２壁部５３ｄとで挟み込むように第１のケース体５２と第２のケース体５３とを組み付け固定したとき、第１押圧部５３ｆがＣ面取り加工の施された第１当接部である面取り部２６ｃと当接し第１押圧部５３ｆからの押圧力Ｍが面取り部２６ｃに作用すると同時に（図７参照）、第２押圧部５３ｇがＣ面取り加工の施された第２当接部である面取り部５１ｃと当接し第２押圧部５３ｇからの押圧力Ｎが面取り部５１ｃに作用する構成となっている（図８参照）。
【００６５】
すなわち、第１壁部５３ｃと第１フランジ部２６ｂとに着目すると、第１壁部５３ｃに設けられた曲面部からなる第１押圧部５３ｆが、第１押圧部５３ｆと向かい合うように第１フランジ部２６ｂに設けられた傾斜面からなる面取り部（第１当接部）２６ｃと当接することに伴い、図６中、Ｂ部を拡大して示す図７に示すごとく面取り部２６ｃには面取り部２６ｃに対し垂直方向（つまり図７中、右斜め下方向）に第１押圧部５３ｆからの押圧力Ｍが作用する。
【００６６】
このとき、傾斜面からなる面取り部２６ｃに作用する押圧力Ｍは、前述した第１実施形態（図４の押圧力Ｆ）の場合と同様なので詳細図示は省略するが、第１フランジ部２６ｂの板面方向に沿って作用する水平分力と、第１フランジ部２６ｂの板厚方向に作用する垂直分力とに分散されるため、第１フランジ部２６ｂの変形（つまり第１レンズ部２６ａの歪み）を抑制することが可能となる。
【００６７】
さらに、第２壁部５３ｄと第２フランジ部５１ｂとに着目すると、第２壁部５３ｄに設けられた曲面部からなる第２押圧部５３ｇが、第２押圧部５３ｇと向かい合うように第２フランジ部５１ｂに設けられた傾斜面からなる面取り部（第２当接部）５１ｃと当接することに伴い、図８に示すごとく面取り部５１ｃには面取り部５１ｃに対し垂直方向（つまり図８中、右斜め下方向）に第２押圧部５３ｇからの押圧力Ｎが作用する。
【００６８】
このとき、傾斜面からなる面取り部５１ｃに作用する押圧力Ｎは、第２フランジ部５１ｂの板面方向に沿って作用する水平分力Ｎ１と、第２フランジ部５１ｂの板厚方向に作用する垂直分力Ｎ２とに分散される。ここで、水平分力Ｎ１と垂直分力Ｎ２のうち、水平分力Ｎ１は第２フランジ部５１ｂの板厚方向に何ら作用しないので、第２フランジ部５１ｂの変形に影響を与えることになる第２フランジ部５１ｂの板厚方向に働く力は、水平分力Ｎ１の分だけ軽減され、これにより第２レンズ部材５１をＣＯＰによって形成した場合であっても、第２フランジ部５１ｂの変形（つまり第２レンズ部５１ａの歪み）を抑制することができる。
【００６９】
このように本第３実施形態によれば、第１のケース体５２と第２のケース体５３とを組み付け固定した際に、第１押圧部５３ｆからの押圧力Ｍを第１当接部である面取り部２６ｃに作用させ、且つ第２押圧部５３ｇからの押圧力Ｎを第２当接部である面取り部５１ｃに作用させる構成としたことで、各レンズ部材２６、５１をＣＯＰによって形成した場合であっても、各フランジ部２６ｂ、５１ｂの変形（つまり各レンズ部２６ａ、５１ａの歪み）を抑制することが可能となり、前記第１実施形態と同様の作用効果を得ることができる。
【００７０】
なお前記各実施形態では、液晶表示パネル２４から発せられる表示光Ｌが、フロントガラス１３に投射される例について説明したが、例えばフロントガラス１３に表示光Ｌを良好に運転者１４方向に反射させるコンバイナフィルムを設けてもよいし、あるいはフロントガラス１３とは別の専用の反射体に表示光Ｌを投射する構成としてもよい。
【符号の説明】
【００７１】
２０    表示器（照明装置）
２１    回路基板（基板）
２２    光源
２３    光源ユニット
２４    液晶表示パネル（被照明部材）
２５    拡散部材
２６    レンズ部材（第１レンズ部材）
２６ａ  レンズ部（第１レンズ部）
２６ｂ  フランジ部（第１フランジ部）
２６ｃ、２６ｄ  当接部（第１当接部）
２７、５２  第１のケース体
２７ａ、５２ａ  支持部（第１支持部）
２７ｂ  仕切部
２７ｃ、５２ｃ  外壁部
２７ｄ  連結部
２７ｅ、５２ｆ  貫通孔部
２７ｇ、２８ｅ、５３ｆ  押圧部（第１押圧部）
２８、５３  第２のケース体
２８ａ、５３ａ  開口部
２８ｂ、５３ｂ  基部
２８ｃ、５３ｃ  壁部（第１壁部）
２８ｄ、５３ｅ  弾性腕片
２８ｆ、５３ｈ  爪部
５１    第２レンズ部材
５１ａ  第２レンズ
５１ｂ  第２フランジ部
５１ｃ  第２当接部
５２ｂ  第２支持部
５２ｄ  水平壁部
５３ｄ  第２壁部
５３ｇ  第２押圧部
Ｆ、Ｇ、Ｍ、Ｎ  押圧力
Ｆ１、Ｇ１、Ｎ１  水平分力
Ｆ２、Ｇ２、Ｎ２  垂直分力
Ｈ    貫通部
Ｓ１    上側空間部
Ｓ２    下側空間部
【図１】
0005526974.tif 000002
【図２】
0005526974.tif 000003
【図３】
0005526974.tif 000004
【図４】
0005526974.tif 000005
【図５】
0005526974.tif 000006
【図６】
0005526974.tif 000007
【図７】
0005526974.tif 000008
【図８】
0005526974.tif 000009
【図９】
0005526974.tif 000010